(57)【要約】【課題】  垂直な磁性壁面に対する棚本体部のずれ下がりや脱落をなくするとともに、壁面からの取り外しの容易性を確保した物品載置棚を提供する。【解決手段】  この物品載置棚１０は、磁性壁面１に設置される物品載置棚であって、磁性壁面に対面する板状の棚本体部２の裏面に貼着されたマグネットシート８と、棚本体部の裏面に露出し、かつ該裏面に対して垂直方向に遊動可能、かつ抜落ち不能に棚本体部に保持された磁石体９とを有し、磁石体９は棚本体部２を貫通する軸部を有し、この軸部の大径頭部１２が棚本体部の前面に露出し、かつこの大径頭部の裏面が棚本体部の前面に接当可能されている。棚本体部２の前面には前方へ垂直に張り出す棚板６や枠状の掛梁部材７などの物品保持部材が装着される。【選択図】    図１
2020141717.tif 000002
【特許請求の範囲】
【請求項１】
磁性壁面に設置される物品載置棚であって、前記磁性壁面に対面する板状の棚本体部の裏面に貼着されたマグネットシートと、前記棚本体部の裏面に露出し、かつ該裏面に対して垂直方向に遊動可能、かつ抜落ち不能に前記棚本体部に保持された磁石体とを有し、前記磁石体は前記棚本体部を貫通する軸部を有し、前記軸部の大径頭部が前記棚本体部の前面に露出し、かつ該大径頭部の裏面が前記棚本体部の前面に接当可能とされていることを特徴とする物品載置棚。
【請求項２】
前記磁石体は前記棚本体部の裏面に形成された凹部に収容され、前記軸部は前記磁石体に螺着された頭部付きねじ軸であることを特徴とする請求項１に記載の物品載置棚。
【請求項３】
前記棚本体部の前面に、該本体部に対して物品保持部材が着脱自在に装着されてなることを特徴とする請求項１または２に記載の物品載置棚。
【請求項４】
物品保持部材は、前記棚本体部の前面に、該本体部に対して垂直に張り出す棚板であることを特徴とする請求項３に記載の物品載置棚。
【請求項５】
物品保持部材は、前記棚本体部の前面に、該本体部に対して垂直に張り出す枠状の掛梁部材であることを特徴とする請求項３に記載の物品載置棚。
【発明の詳細な説明】
【技術分野】
【０００１】
本発明は壁面に対して脱着可能に保持される物品載置棚、特に、磁性壁面に対し磁気吸着を利用してずれ落ち防止状態に保持される物品載置棚に関する。
【背景技術】
【０００２】
店舗内の壁面や事務室の壁面に商品や書類、花瓶等の置物あるいは衣類等を保持する物品載置棚は前記壁面に対して安定に支持する必要があるとともに、非使用時には簡単に前記壁面から取り外せるような構造にする必要がある。この要求を満たすために、従来から棚本体部の背面（裏面）にマグネットを装着し、磁性壁面に対して前記マグネットの磁気吸着力により前記棚本体部を磁性壁面に保持するようにしたものが知られている。
【０００３】
この中で、特許文献１に示す物品載置体は、Ｌ形に形成された本体部の磁性壁面に対峙する裏面の下部分に第１の磁石体を配設するとともに、前記裏面の上部分に前記第１の磁石体よりも磁着力の強い第２の磁石体を配設し、前記本体部の水平に張出した部分を物品の載置面としたものである。壁面対峙面の下方部位にある前記第１の磁石体の表面に滑り止め加工を施すことにより、物品の載置面にかなりの重量物を載置した場合にも物品載置体のずれ落ちを防止できる構造としている。
【０００４】
また、特許文献２に示す棚、容器などの取付構造は、垂直な磁性壁面（取付支持面）に取り付けられる被取付体の背部上方部位に磁石を設けるとともに背部下方部位に摩擦支持片を設け、前記磁石によって前記被取付体を前記磁性壁面に磁着させたときに前記磁性壁面と摩擦接触させることで前記被取付体のずれ落ちをなくすようにしたものである。そのほか、室内壁面に種々の機能をもたせるように複数の異なるパネル材を脱着可能に取り付け得るようにした室内用壁面材の組み合せ構造も開示されている（特許文献３）。
【先行技術文献】
【特許文献】
【０００５】
【特許文献１】特開２００４−４９３３６号公報
【特許文献２】特開２００２−１６８２１１号公報
【特許文献３】特開平６−３４１２０７号公報
【発明の概要】
【発明が解決しようとする課題】
【０００６】
物品載置棚を磁石の吸着力によって垂直な磁性壁面に磁着、保持する形態のものは、載置棚に重量物を載置したとき、載置棚が前記壁面からずれ下がったり、滑り落ちたりする危険がある。このずれ落ちを防止するため、強力な磁力の磁石を取り付けると、物品載置棚を壁面から取り外すのが困難となる。物品載置棚の安定な保持性と取り外しの容易性を確保するため、従来から種々の対策が講じられている。例えば、磁性壁面に対峙する棚本体部の背板の上端または下端から水平な載置板を前方へ延出させた特許文献１の場合は、前記背板の上下部位にそれぞれ磁石体を配設し、上方部位の磁石体の磁着力を下方部位の磁石体よりも強くし、下方部位の磁石体の表面には滑り止め加工を施した構造としたので、載置体の安定性と容易な取外し性の双方を確保する上でそれなりの効果はみられるが、背板の全面で磁着させる構造ではないため、全体の磁着保持性の点では若干問題があった。
【０００７】
特許文献２の構造のものは、被取付体の背部の上側部位にのみブロック状の磁石を設け、下側部位には摩擦付与部材を設けた構造のため、被取付体のずれ下がりおよび脱落の防止の点では充分でなかった。
【０００８】
本発明は垂直な磁性壁面に対する棚本体部のずれ下がりや脱落をなくするとともに、壁面からの取り外しの容易性を確保した物品載置棚を提供することを目的とする。
【課題を解決するための手段】
【０００９】
本発明によれば、磁性壁面に設置される物品載置棚であって、前記磁性壁面に対面する板状の棚本体部の裏面に貼着されたマグネットシートと、前記棚本体部の裏面に露出し、かつ該裏面に対して垂直方向に遊動可能、かつ抜落ち不能に前記棚本体部に保持された磁石体とを有し、前記磁石体は前記棚本体部を貫通する軸部を有し、前記軸部の大径頭部が前記棚本体部の前面に露出し、かつ該大径頭部の裏面が前記棚本体部の前面に接当可能とされていることを特徴とする物品載置棚が提供される。
【００１０】
本発明の１つの形態によれば、前記磁石体は前記棚本体部の裏面に形成された凹部に収容され、前記軸部は前記磁石体に螺着された頭部付きねじ軸で構成されている。
【００１１】
本発明の１つの形態によれば、前記棚本体部の前面に、該本体部に対して物品保持部材が着脱自在に装着されてなることを特徴とする。
【００１２】
本発明の他の形態によれば、物品保持部材は、前記棚本体部の前面に、該本体部に対して垂直に張り出す棚板であることを特徴とする。
【００１３】
本発明の他の形態によれば、物品保持部材は、前記棚本体部の前面に、該本体部に対して垂直に張り出す枠状の掛梁部材であることを特徴とする。
【発明の効果】
【００１４】
本発明に係る物品載置棚は磁性壁面に対面する棚本体部の裏面に広面のマグネットシートが貼着されているので、全体にわたって充分な磁着性が得られ、特に、シート面に沿う方向に強い保持性が確保される。また、前記マグネットシートの部位が前記磁性壁面に対して剥れが生じても、棚本体部に遊動保持されている磁石が前記磁性壁面に強く磁着して棚本体部を磁性壁面に保持するので、物品載置棚のずれ下がりや脱落が防止される。マグネットシートによる磁着によって物品載置棚を保持する形態のため、磁性壁面からの取り外しも容易である。
【図面の簡単な説明】
【００１５】
【図１】本発明の実施例に係る物品載置棚の一部分裁断した全体側面図である。
【図２】図１に示す物品載置棚の正面図である。
【図３】本発明の実施例に係る物品載置棚の棚本体部の裏面を示す平面図である。
【図４】本発明の実施例に係る物品載置棚の棚本体部における遊動保持磁石（希土類磁石）部分の拡大断面図である。
【図５】図４に示す実施例で棚本体部が前記遊動保持磁石によって磁性壁面に脱落不能状態に保持されている状態を示す拡大断面図である。
【発明を実施するための形態】
【００１６】
次に、本発明を実施例について図面を参照して説明する。この実施例は垂直な磁性壁面に物品載置棚が装着された例であるが、磁性壁面に代えて、例えばスチール製事務机の側面、あるいは可搬式磁性ボード等の前面に保持される場合でもよいことは勿論である。図１〜図２に示すように、本実施例の物品載置棚１０は磁性壁面１に磁気吸着（磁着）される矩形板状の棚本体部２を有している。棚本体部２は前面の左右部分に上下に延在した掛留め部材３が固着されている。各掛留め部材３は上下方向に所定のピッチで形成された複数の掛留め溝穴４を有している。この実施例では、掛留め溝穴４には、棚本体部２の前面に対して垂直に前方へ延びるＬ形の支持板５の基端部５ａが脱着可能に掛け留めされるようになっている。
【００１７】
具体的には、前記Ｌ形支持板５の基端部５ａには２〜３個の鉤状突部（図示省略）が上下に形成され、これらの鉤状突部が掛留め部材３の掛留め溝穴４に係合することによりＬ形支持板５が棚本体部２の前面に装着される。Ｌ形支持板５の基端部の上下に並ぶ前記鉤状突部のピッチは棚本体部２の掛留め溝穴４のピッチに対応している。左右のＬ形支持板５を橋絡するように物品保持部材としての水平な棚板６がＬ形支持板５上に載置され、これによって物品載置用の棚が構成される。
【００１８】
また、棚本体部２に保持された棚板６の上方位置で棚本体部２には、物品保持部材としての該本体部の左右横巾にわたって延びる上面視コ字状となった枠状の掛梁部材７が脱着可能に装着されている。掛梁部材７の両端でＬ形に曲折した基端部７ａにも前記Ｌ形支持板５と同様の鉤状突部（図示省略）が形成され、この部分が掛留め部材３の掛留め溝穴４に係合することで掛梁部材７が棚本体部２に装着される。上述した棚本体部２の前面構造は本発明に係る物品載置棚１０の一例であり、この形態の他にも、例えば水平に前面へ張り出す棚板を上下に複数個装着するように構成してもよい。
【００１９】
図３を参照すれば、磁性壁面（図１）に対面する棚本体部２の裏面２ａにはマグネットシート８が貼着されている。実施例の場合、マグネットシート８は厚みが約１ｍｍ程度の若干柔軟性のある１枚の磁性素材で形成され、かつ棚本体部２の裏面を広い範囲で覆うように構成されている。マグネットシート８は通常ロール状に巻回された状態のから平板状に引き伸ばして棚本体部２のサイズに応じて所定の大きさに裁断されて用いられ、また、その厚みあるいは着磁力も適用する物品載置棚の仕様に応じて適切なものが選定される。さらに、図示の例では１枚のマグネットシート８を本体部裏面２ａに広領域にわたり貼り付けているが、複数枚に分割したシートとしてもよい。実施例では、適宜のピッチで等方性または異方性に着磁がされたプラスチックマグネットシートを用いている。
【００２０】
図４〜図５に示すように、棚本体部２には、上述したマグネットシート８に加えて、平坦な端面をもつ円形駒状の磁石９が装着されている。実施例ではネオジム−鉄−ボロン系磁石が用いられているが、本発明はこの組成のものに限定されるものではなく、サマリウム−コバルト系磁石、サマリウム−鉄−窒素系磁石など任意の希土類磁石が採用され得る。図３に例示されるように、この駒状の希土類磁石９は棚本体部２の上部の左右２箇所および上部中央に、遊動状態に設けられている。この希土類磁石９の遊動保持構造についてはさらに後述する。
【００２１】
円形駒状の磁石９は磁性壁面１に吸着する面と反対側の面から突出するねじ軸１１が装着されており、このねじ軸１１の先端に大径の頭部１２が形成されている。ねじ軸１１は頭部付きねじ軸となっており、ねじ穴をもつ磁石９へのねじ込み量を変えることで磁石９からの突出長さを調整できるようにしてもよい。棚本体部２の磁石取付け部位で、かつ磁性壁面１に対峙する面に、磁石９の外径より大径の凹部１３が形成されている。この凹部１３にねじ軸付きの磁石９が収容され、磁石９のねじ軸１１が棚本体部２を貫通し、ねじ軸先端の大径頭部１２が棚本体部２の前面に対峙している。磁石９が棚本体部２の凹部１３に収容されている状態（図４）で、ねじ軸頭部１２の裏面１２ａは棚本体部２の前面に対して若干の間隙ｄを形成するようになっている。この構成により、ねじ軸付き磁石９は棚本体部２に対してその軸方向に或る程度遊動する状態に保持されている。
【００２２】
図４に示すように、棚本体部２に貼着されたマグネットシート８が磁性壁面１に磁着した状態では、ねじ軸付き磁石９は棚本体部２の凹部１３内に収容されて磁性壁面１に磁着している。このときは、前述したようにねじ軸１１の頭部裏面１２ａと棚本体部１の前面との間には或る隙間ｄが確保されている。この状態から、棚板６上に載置した物品の過大な重み、あるいは何らかの他の原因により、磁性壁面１とマグネットシート８との磁着が破れ、磁性壁面１から棚本体部２のマグネットシート８が剥がれて棚本体部２と磁性壁面１との間に或る隙間が生じるような事態になったとき（図５参照）、棚本体部２に遊動保持されたねじ軸付き磁石９が棚本体部２の凹部１３から磁性壁面１に向って突出して該壁面１に磁着し、ねじ軸頭部１２の裏面１２ａが棚本体部２の前面に接当し、これによって棚本体部２のずれ下がりや落下が防止される。なお、ねじ軸付き磁石９が磁性壁面１に磁着している状態では、棚本体部２のねじ軸挿通孔とねじ軸１１との係合によっても、磁性壁面１からの棚本体部２の落下が防止される。
【００２３】
棚本体部裏面に貼着された巾広のマグネットシート８はシート面に沿う方向には強い着磁力を示すが、シート面に垂直な方向には比較的に磁着力が弱い。本発明では垂直方向の比較的弱い着磁性を上部の希土類磁石の強い磁着力によって棚本体部のずれ下がりや落下を防いでいるが、図４のように磁性壁面１とマグネットシート８との磁着により棚本体部２が磁性壁面１に保持されている状態で、ねじ軸付き磁石９のねじ軸頭部１２を手動で前方へ引き出すことにより、棚本体部２は容易に磁性壁面１から取り外すことができる。
【００２４】
以上説明したように本発明による物品載置棚は、磁性壁面に対面する棚本体部の裏面に広面のマグネットシートが貼着されているので、全体にわたって充分な磁着性が得られ、特に、シート面に沿う方向に強い保持性が確保される。また、前記マグネットシートの部位が前記磁性壁面に対して剥れが生じても、棚本体部に遊動保持されているねじ軸付き磁石が前記磁性壁面に強く磁着してねじ軸の大径頭部の裏面が棚本体部に圧接し、棚本体部を磁性壁面に保持するので、物品載置棚のずれ下がりや脱落が防止される。マグネットシートによる磁着によって物品載置棚を保持する形態のため、磁性壁面からの取り外しも容易である。
【００２５】
そして本発明による物品載置棚によれば、磁性面の所望の位置に物品載置棚を形成することができる。また物品載置棚における物品保持部材の装着位置や物品保持部材の種類も自由に選択することができる。したがって、例えば、商業施設等においては棚板６に商品を載置したり、掛梁部材７に商品を掛止したり、陳列したい商品の種類、形状、大きさに応じた物品載置棚を提供することができる。
【符号の説明】
【００２６】
１  磁性壁面
２  棚本体部
３  掛留め部材
４  掛留め溝穴
５  Ｌ形支持板
６  棚板
７  掛梁部材
８  マグネットシート
９  磁石
１０  物品載置棚
１１  ねじ軸
１２  ねじ軸頭部
１２ａ  頭部裏面
１３  棚本体部の凹部
【図１】
2020141717.tif 000003
【図２】
2020141717.tif 000004
【図３】
2020141717.tif 000005
【図４】
2020141717.tif 000006
【図５】
2020141717.tif 000007